(57)【特許請求の範囲】
【請求項１】
建造物の検査に用いられる携帯型の端末装置と、前記端末装置と通信可能に構成されたサーバとを含む情報処理システムであって、
前記端末装置は、
当該端末装置の位置及び向きを検出するためのセンサと、
検査員による指摘箇所を含む前記建造物の検査結果を入力するためのフォーマットに検査結果データを入力する検査結果入力手段と、
前記検査結果データを前記サーバに送信する検査結果送信手段と、
過去に指摘された前記指摘箇所の案内を行う案内手段と、を備え、
前記サーバは、
前記検査結果データに基づいて、前記検査結果への対応作業のための所定のフォーマットを有する帳票データを作成する帳票データ作成手段を備え、
前記端末装置において、前記センサは、前記指摘箇所が入力された際の前記端末装置の位置及び向きを検出し、前記案内手段は、前記検査結果における指摘箇所が入力された際の前記センサの検出結果に基づいて、当該端末装置の位置及び向きに関する情報を提供することにより、前記検査結果データにおける指摘箇所の案内を行うことを特徴とする情報処理システム。
【請求項２】
前記検査結果入力手段は、前記建造物の検査の種類に対応する作業別辞書に基づいて、検査員が発話した音声の音声認識を行うことにより、前記建造物の検査結果を入力するためのフォーマットに前記検査結果データを入力することを特徴とする請求項１に記載の情報処理システム。
【請求項３】
前記帳票データ作成手段は、予め指定されたデータの分類条件に応じて前記検査結果データを分類して、前記帳票データを作成することを特徴とする請求項１または２に記載の情報処理システム。
【請求項４】
前記帳票データ作成手段は、前記指摘箇所が設定された間取り図と、前記間取り図の周囲の少なくとも一部に前記指摘箇所を示す番号を表示する番号表示領域と、前記指摘箇所の内容を表示する指摘内容表示領域と、を有するフォーマットの前記帳票データを作成することを特徴とする請求項１から３のいずれか１項に記載の情報処理システム。
【請求項５】
前記帳票データ作成手段は、予め指定されたデータの分類条件に応じて前記検査結果データを分類して、前記検査結果データにおける前記指摘箇所の一部を含む前記帳票データを作成する場合に、前記指摘箇所を示す番号を維持して、当該帳票データに表示することを特徴とする請求項４に記載の情報処理システム。
【請求項６】
前記サーバは、
前記端末装置から送信された前記検査結果データを蓄積して記憶する検査結果データベースと、
前記検査結果データベースに記憶された前記検査結果データを統計処理することにより、前記検査結果データの指摘内容に関する傾向を解析する統計解析手段と、
を備えることを特徴とする請求項１から５のいずれか１項に記載の情報処理システム。
【請求項７】
前記サーバは、
前記検査結果データに用いられた言語とは異なる言語で表された前記帳票データを作成するための翻訳手段を備えることを特徴とする請求項１から６のいずれか１項に記載の情報処理システム。
【請求項８】
前記検査結果入力手段は、前記検査結果における指摘箇所が入力された際の前記センサの検出結果を検査結果データと対応付け、
前記検査結果送信手段は、前記センサの検出結果及び前記検査結果データを前記サーバに送信し、
前記案内手段は、前記サーバから取得した前記検査結果データに対応付けられている前記センサの検出結果に基づいて、当該端末装置の位置及び向きに関する情報を提供することにより、前記検査結果データにおける指摘箇所の案内を行うことを特徴とする請求項１から７のいずれか１項に記載の情報処理システム。
【請求項９】
前記端末装置は、
前記指摘箇所の撮像画像データを対象として画像解析を行い、当該指摘箇所における瑕疵を判定する画像解析手段を備えることを特徴とする請求項１から８のいずれか１項に記載の情報処理システム。
【請求項１０】
画像を撮影する機能及び移動する機能を備えたロボットとして前記端末装置が構成されたことを特徴とする請求項１から９のいずれか１項に記載の情報処理システム。
【請求項１１】
建造物の検査結果への対応作業のための所定のフォーマットを有する帳票データを作成するサーバと通信可能に構成され、前記建造物の検査に用いられる携帯型の端末装置であって、
当該端末装置の位置及び向きを検出するためのセンサと、
検査員による指摘箇所を含む前記建造物の検査結果を入力するためのフォーマットに検査結果データを入力する検査結果入力手段と、
前記検査結果データを前記サーバに送信する検査結果送信手段と、
過去に指摘された前記指摘箇所の案内を行う案内手段と、を備え、
前記センサは、前記指摘箇所が入力された際の前記端末装置の位置及び向きを検出し、
前記案内手段は、前記検査結果における指摘箇所が入力された際の前記センサの検出結果に基づいて、当該端末装置の位置及び向きに関する情報を提供することにより、前記検査結果データにおける指摘箇所の案内を行うことを特徴とする端末装置。
【請求項１２】
建造物の検査結果への対応作業に用いられる携帯型の端末装置であって、
当該端末装置の位置及び向きを検出するためのセンサと、
指摘箇所を含む前記建造物の検査結果と、前記検査結果における指摘箇所が入力された際に、前記建造物の検査に用いられた端末装置が備えるセンサによって検出された位置及び向きの検出結果とに基づいて、自端末装置の位置及び向きに関する情報を提供することにより、前記検査結果における指摘箇所の案内を行う案内手段を備えることを特徴とする端末装置。
【請求項１３】
建造物の検査に用いられる携帯型の端末装置と、前記端末装置と通信可能に構成されたサーバとを含む情報処理システムにおける情報処理方法であって、
前記端末装置が、検査員による指摘箇所を含む前記建造物の検査結果を入力するためのフォーマットに検査結果データを入力する検査結果入力ステップと、
前記端末装置が、前記検査結果データを前記サーバに送信する検査結果送信ステップと、
前記端末装置が、過去に指摘された前記指摘箇所の案内を行う案内ステップと、
前記サーバが、前記検査結果データに基づいて、前記検査結果への対応作業のための所定のフォーマットを有する帳票データを作成する帳票データ作成ステップと、を含み、
前記検査結果入力ステップにおいて、前記端末装置は、センサによって、前記指摘箇所が入力された際の前記端末装置の位置及び向きを検出し、
前記案内ステップにおいて、前記端末装置は、前記検査結果における指摘箇所が入力された際の前記センサの検出結果に基づいて、当該端末装置の位置及び向きに関する情報を提供することにより、前記検査結果データにおける指摘箇所の案内を行うことを特徴とする情報処理方法。
【請求項１４】
建造物の検査結果への対応作業のための所定のフォーマットを有する帳票データを作成するサーバと通信可能に構成され、前記建造物の検査に用いられる携帯型の端末装置を構成するコンピュータに、
センサによって当該端末装置の位置及び向きを検出する検出機能と、
検査員による指摘箇所を含む前記建造物の検査結果を入力するためのフォーマットに検査結果データを入力する検査結果入力機能と、
前記検査結果データを前記サーバに送信する検査結果送信機能と、
過去に指摘された前記指摘箇所の案内を行う案内機能と、を実現させ、
前記検出機能は、前記センサによって前記指摘箇所が入力された際の前記端末装置の位置及び向きを検出し、
前記案内機能は、前記検査結果における指摘箇所が入力された際の前記センサの検出結果に基づいて、当該端末装置の位置及び向きに関する情報を提供することにより、前記検査結果データにおける指摘箇所の案内を行うことを特徴とするプログラム。
【請求項１５】
建造物の検査結果への対応作業に用いられる携帯型の端末装置であって、当該端末装置の位置及び向きを検出するためのセンサを備える端末装置を制御するコンピュータに、
指摘箇所を含む前記建造物の検査結果と、前記検査結果における指摘箇所が入力された際に、前記建造物の検査に用いられた端末装置が備えるセンサによって検出された位置及び向きの検出結果とに基づいて、自端末装置の位置及び向きに関する情報を提供することにより、前記検査結果における指摘箇所の案内を行う案内機能を実現させることを特徴とするプログラム。
【発明の詳細な説明】
【技術分野】
【０００１】
本発明は、情報処理システム、端末装置、サーバ、情報処理方法及びプログラムに関する。
【背景技術】
【０００２】
従来、マンション等の建造物を建造する場合、完成物の引き渡しに先立って、仕上げ検査あるいは配筋検査等の各種検査が行われている。
これらの検査においては、例えば仕上げ検査の場合、検査員が現場で視認したクロス浮き等の指摘箇所（検査結果）を、建造物の間取り図を印刷した用紙に記入している。そして、指摘箇所を施工した業者に修理を依頼する場合、検査結果を記入した間取り図の用紙をコピーし、その業者に関連する箇所にマーカーを付す等して指摘箇所を知らせている。
ところが、このような建造物の検査のための作業は、検査員が手書きで用紙に指摘箇所を記入したり、特定の業者に関連する指摘箇所を識別するためにマーカーを付したりする等、手間を要するものである。
そこで、特許文献１に記載の技術においては、建造物の検査に携帯端末等の情報処理装置を用いることで、作業効率の向上を図っている。
【先行技術文献】
【特許文献】
【０００３】
【特許文献１】特開２０１５−１１５１９号公報
【発明の概要】
【発明が解決しようとする課題】
【０００４】
しかしながら、特許文献１に記載された技術においては、検査員が行っていた作業の一部に情報処理装置を用いているものの、検査に関連する作業を十分には支援できず、全体として建造物の検査を効率的に行うことができるものではなかった。
【０００５】
本発明は、建造物の検査をより効率的に行うことを目的とする。
【課題を解決するための手段】
【０００６】
上記目的を達成するため、本発明の一態様の情報処理システムは、
建造物の検査に用いられる携帯型の端末装置と、前記端末装置と通信可能に構成されたサーバとを含む情報処理システムであって、
前記端末装置は、
検査員が発話した音声の音声認識を行うことにより、前記建造物の検査結果を入力するためのフォーマットに検査結果データを入力する検査結果入力手段と、
前記検査結果データを前記サーバに送信する検査結果送信手段と、を備え、
前記サーバは、
前記検査結果データに基づいて、前記検査結果への対応作業のための所定のフォーマットを有する帳票データを作成する帳票データ作成手段を備えることを特徴とする。
【発明の効果】
【０００７】
本発明によれば、建造物の検査をより効率的に行うことができる。
【図面の簡単な説明】
【０００８】
【図１】本発明に係る情報処理システムのシステム構成を示す図である。
【図２】携帯端末のハードウェア構成を示す模式図である。
【図３】サーバ及びＰＣを構成するコンピュータのハードウェア構成を示す模式図である。
【図４】情報処理システムにおいて実現される主な機能構成を示すブロック図である。
【図５】情報処理システムが利用される場合の手順を示す模式図である。
【図６】情報処理システムの携帯端末が実行する検査支援処理の流れを示すフローチャートである。
【図７】情報処理システムのサーバが実行する帳票データ作成処理の流れを示すフローチャートである。
【図８】情報処理システムのサーバが実行する検査結果データ翻訳処理の流れを示すフローチャートである。
【発明を実施するための形態】
【０００９】
以下、本発明の実施形態について、図面を用いて説明する。
【００１０】
［構成］
［システム構成］
図１は、本発明に係る情報処理システム１のシステム構成を示す図である。
図１に示すように、本発明に係る情報処理システム１は、携帯端末１０と、サーバ２０と、ＰＣ（Ｐｅｒｓｏｎａｌ  Ｃｏｍｐｕｔｅｒ）３０とを含んで構成され、携帯端末１０、サーバ２０及びＰＣ３０は、ネットワーク４０を介して互いに通信可能に構成されている。
本発明に係る情報処理システム１は、マンション等の建造物における各種検査を行うために用いられるものであり、携帯端末１０に表示された検査対象の図面を含む検査結果入力フォーマットに対して、携帯端末１０のユーザ（検査員）が検査の現場において、指摘箇所をタップして検査結果を音声で入力する。すると、入力された音声が音声認識によりテキストデータ化され、検査対象の図面におけるタップされた位置と対応付けて、音声認識されたテキストデータが記憶される。このようにして、検査対象の検査が完了すると、検査対象に関する検査結果が入力された検査結果入力フォーマットがサーバ２０に送信され、ＰＣ３０による操作に応じて、検査対象に関する検査結果が、業者毎等に分類されて、所定の提供先に提供される。
これにより、検査員が手書きで用紙に検査結果を記入する場合に比べ、検査結果を入力する手間が軽減されると共に、入力された検査結果を分類する処理等を簡単に行うことができる。
したがって、本発明に係る情報処理システム１によれば、建造物の検査をより効率的に行うことが可能となる。
【００１１】
［ハードウェア構成］
次に、情報処理システム１を構成する各装置のハードウェア構成を説明する。
図２は、携帯端末１０のハードウェア構成を示す模式図である。
携帯端末１０は、スマートフォンあるいはタブレット端末等の携帯型の情報処理装置によって構成される。
図２に示すように、携帯端末１０は、ＣＰＵ（Ｃｅｎｔｒａｌ  Ｐｒｏｃｅｓｓｉｎｇ  Ｕｎｉｔ）１１１と、ＲＯＭ（Ｒｅａｄ  Ｏｎｌｙ  Ｍｅｍｏｒｙ）１１２と、ＲＡＭ（Ｒａｎｄｏｍ  Ａｃｃｅｓｓ  Ｍｅｍｏｒｙ）１１３と、バス１１４と、タッチ操作入力部１１５と、出力部１１６と、音声入力部１１７と、撮像部１１８と、センサ部１１９と、記憶部１２０と、通信部１２１と、ドライブ１２２と、を備えている。
【００１２】
ＣＰＵ１１１は、ＲＯＭ１１２に記録されているプログラム、または、記憶部１２０からＲＡＭ１１３にロードされたプログラムに従って各種の処理（携帯端末１０の機能を実現するための処理）を実行する。
ＲＡＭ１１３には、ＣＰＵ１１１が各種の処理を実行する上において必要なデータ等も適宜記憶される。
【００１３】
ＣＰＵ１１１、ＲＯＭ１１２及びＲＡＭ１１３は、バス１１４を介して相互に接続されている。バス１１４には、タッチ操作入力部１１５、出力部１１６、音声入力部１１７、撮像部１１８、センサ部１１９、記憶部１２０、通信部１２１及びドライブ１２２が接続されている。
【００１４】
タッチ操作入力部１１５は、例えば出力部１１６の表示領域に積層される静電容量式または抵抗膜式の位置入力センサにより構成され、タッチ操作がなされた位置の座標を検出する。ここで、タッチ操作とは、タッチ操作入力部１１５に対する物体（ユーザの指やタッチペン等）の接触または近接の操作をいう。
出力部１１６は、ディスプレイやスピーカ等で構成され、画像や音声を出力する。
即ち、本実施形態では、タッチ操作入力部１１５と出力部１１６のディスプレイとにより、タッチパネルが構成されている。
【００１５】
音声入力部１１７は、例えばマイクロフォンにより構成され、入力された音声をアナログ電気信号に変換する。音声入力部１１７を構成するマイクロフォンとしては、携帯端末１０の内蔵マイクロフォンとすることや、ノイズの多い状況においても特定の発話者の音声をより高音質で集音できる身体装着型のマイクロフォンとすること等が可能である。
なお、音声のアナログ信号は、Ａ／Ｄ（Ａｎａｌｏｇ／Ｄｉｇｉｔａｌ）変換処理が施されて、音声データを表すデジタル信号に変換される。このＡ／Ｄ変換処理の実行主体は、特に限定されず、ＣＰＵ１１１であってもよいし、図示しない専用のハードウェアであってもよいが、本実施形態では説明の便宜上、音声入力部１１７であるものとする。
即ち、本実施形態では、音声入力部１１７は、入力された音声に基づく音声データをＣＰＵ１１１等に出力する。
【００１６】
撮像部１１８は、図示はしないが、光学レンズ部と、イメージセンサと、を備えている。
光学レンズ部は、被写体を撮影するために、光を集光するレンズ、例えばフォーカスレンズ等で構成される。なお、フォーカスレンズの他、焦点距離を一定の範囲で自在に変化させるズームレンズを光学レンズ部に備えることとしてもよい。
光学レンズ部にはまた、必要に応じて、焦点、露出、ホワイトバランス等の設定パラメータを調整する周辺回路が設けられる。
【００１７】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。本実施形態においては撮像素子には、Ｂａｙｅｒ配列の色フィルタが装着されている。撮像素子は、一定時間毎に、その間に入射されて蓄積された被写体像の光信号を光電変換（撮像）して、その結果得られるアナログの電気信号をＡＦＥに順次供給する。
ＡＦＥは、このアナログの電気信号に対して、Ａ／Ｄ変換処理等の各種信号処理を実行する。各種信号処理によって、デジタル信号が生成され、撮像部１１８の出力信号として出力される。撮像部１１８の出力信号によって示される画像のデータを、以下、適宜「撮像画像データ」と呼ぶ。撮像画像データは、ＣＰＵ１１１の指示に従って、ＲＡＭ１１３あるいは記憶部１２０に記憶される。
【００１８】
センサ部１１９は、携帯端末１０における３軸方向の加速度を検出する３軸加速度センサ、携帯端末１０における３軸方向の角速度を検出するジャイロセンサ、携帯端末１０の位置を検出する位置センサ（例えばＧＰＳ受信機）あるいは地磁気を検出する地磁気センサ等の各種センサを備えている。センサ部１１９の検出信号は、ＣＰＵ１１１等に出力される。
記憶部１２０は、ＤＲＡＭ（Ｄｙｎａｍｉｃ  Ｒａｎｄｏｍ  Ａｃｃｅｓｓ  Ｍｅｍｏｒｙ）等の記憶装置で構成され、各種データを記憶する。
通信部１２１は、ネットワークを介して他の装置との間で行う通信を制御する。
ドライブ１２２には、必要に応じて、リムーバブルメディア１３１が適宜装着される。ドライブ１２２によってリムーバブルメディア１３１から読み出されたプログラムは、必要に応じて記憶部１２０にインストールされる。また、リムーバブルメディア１３１は、記憶部１２０に記憶されている各種データも、記憶部１２０と同様に記憶することができる。
【００１９】
図３は、サーバ２０及びＰＣ３０を構成するコンピュータ２００のハードウェア構成を示す模式図である。
サーバ２０は、サーバコンピュータによって構成され、ＰＣ３０は、汎用のＰＣによって構成される。サーバ２０及びＰＣ３０のハードウェア構成は、ほぼ同様のコンピュータ２００によって構成されるため、以下、これらの構成をまとめて説明する。
図３に示すように、サーバ２０及びＰＣ３０を構成するコンピュータ２００は、ＣＰＵ２１１と、ＲＯＭ２１２と、ＲＡＭ２１３と、バス２１４と、入力部２１５と、出力部２１６と、記憶部２１７と、通信部２１８と、ドライブ２１９と、を備えている。なお、サーバ２０の構成を特に表す場合、コンピュータ２００の各符号末尾に「Ａ」の文字を付し、ＰＣ３０の構成を特に表す場合、コンピュータ２００の各符号末尾に「Ｂ」の文字を付して区別するものとする。
【００２０】
ＣＰＵ２１１は、ＲＯＭ２１２に記録されているプログラム、または、記憶部２１７からＲＡＭ２１３にロードされたプログラムに従って各種の処理（サーバ２０またはＰＣ３０の機能を実現するための処理）を実行する。
ＲＡＭ２１３には、ＣＰＵ２１１が各種の処理を実行する上において必要なデータ等も適宜記憶される。
【００２１】
ＣＰＵ２１１、ＲＯＭ２１２及びＲＡＭ２１３は、バス２１４を介して相互に接続されている。バス２１４には、入力部２１５、出力部２１６、記憶部２１７、通信部２１８及びドライブ２１９が接続されている。
【００２２】
入力部２１５は、各種釦等で構成され、指示操作に応じて各種情報を入力する。
出力部２１６は、ディスプレイやスピーカ等で構成され、画像や音声を出力する。
記憶部２１７は、ハードディスクあるいはＤＲＡＭ等で構成され、各サーバで管理される各種データを記憶する。
通信部２１８は、ネットワークを介して他の装置との間で行う通信を制御する。
【００２３】
ドライブ２１９には、磁気ディスク、光ディスク、光磁気ディスク、あるいは半導体メモリ等よりなる、リムーバブルメディア２３１が適宜装着される。ドライブ２１９によってリムーバブルメディア２３１から読み出されたプログラムは、必要に応じて記憶部２１７にインストールされる。
【００２４】
［機能的構成］
次に、情報処理システム１において実現される主な機能構成について説明する。
図４は、情報処理システム１において実現される主な機能構成を示すブロック図である。
図４に示すように、情報処理システム１は、携帯端末１０のＣＰＵ１１１において、検査対象データ取得部１５１と、検査対象表示部１５２と、音声認識部１５３と、検査結果データ入力部１５４と、画像取得部１５５と、検査結果データ送信部１５６とが機能する。
また、携帯端末１０の記憶部１２０には、検査対象データ記憶部１７１と、関連業者データ記憶部１７２と、作業別辞書データ記憶部１７３と、検査結果データ記憶部１７４とが形成される。
【００２５】
検査対象データ記憶部１７１には、検査対象となる建造物に関するデータ（検査対象データ）が記憶されている。例えば、検査対象データ記憶部１７１には、検査対象となる建造物の検査結果入力フォーマットが、その建造物の住所や名称等と対応付けて記憶されている。
関連業者データ記憶部１７２には、検査対象となる建造物に関連する業者を示すデータが記憶されている。例えば、関連業者データ記憶部１７２には、検査対象となる建造物の建造に関わった建築業者、内装業者あるいは設備業者等の名称、連絡先及び担当者名等が記憶されている。
【００２６】
作業別辞書データ記憶部１７３には、建造物の検査に関連する用語の音声認識用データが格納された辞書データが記憶されている。具体的には、作業別辞書データ記憶部１７３には、仕上げ検査、配筋検査、コンクリート出来形検査、コンクリート構造物補修工事検査あるいは下地検査等の作業別（即ち、建造物の検査の種類別）に、その作業で使用される可能性のある用語の音声認識用データ（言語モデルのデータ）が格納された作業別辞書データが記憶されている。
検査結果データ記憶部１７４には、検査対象となった建造物の検査結果のデータが記憶されている。具体的には、検査結果データ記憶部１７４には、検査対象となった建造物の検査結果入力フォーマットに、検査員によって検査結果が入力された後のデータ（検査結果データ）が建造物の住所や名称等と対応付けて記憶されている。
【００２７】
検査対象データ取得部１５１は、サーバ２０に対して、検査対象となる建造物に関するデータを要求し、サーバ２０から送信される検査対象データ（検査結果入力フォーマット）を取得する。検査対象データ取得部１５１によって取得された検査対象データは、建造物の住所や名称等と対応付けて検査対象データ記憶部１７１に記憶される。このとき、検査対象データ取得部１５１は、検査対象となる建造物に関連する業者（関連業者）を示すデータを併せてサーバ２０から取得する。検査対象データ取得部１５１によって取得された関連業者を示すデータは、関連業者データ記憶部１７２に記憶される。なお、本実施形態において、検査対象データ取得部１５１は、１日あるいは午前（または午後）等の時間の区分毎に、検査対象となる１または複数の物件に関する検査対象データを取得する。
検査対象表示部１５２は、検査員による建造物の検査が行われる際に、検査結果入力フォーマットを表示し、検査結果の入力が可能な状態とする。
【００２８】
音声認識部１５３は、携帯端末１０において音声認識を行うため（即ち、スタンドアローン用）の音声認識機能であり、マイクを介して入力された検査員の音声を認識する。このとき、音声認識部１５３は、一般の音声認識アルゴリズムによる音声認識に加え、作業別辞書データ記憶部１７３を参照して、建造物の検査の種類に応じた辞書データを用いることにより、検査員の音声を認識する。これにより、その建造物の検査において使用される用語がより適切にテキストデータに変換される。
また、音声認識部１５３は、関連業者データ記憶部１７２を参照して、音声によって検査員が入力した業者を特定する。これにより、その建造物の建造に関わった業者を簡単に特定することができる。
例えば、検査員が内装の仕上げ検査の際に「クロス浮き、補修、Ａ工務店連絡」と指摘内容を発音した場合、音声認識部１５３は、作業別辞書データ記憶部１７３に記憶されている内装の仕上げ検査用の辞書データを参照して「クロス浮き」、「補修」及び「Ａ工務店」という音声をテキストデータに変換し、関連業者データ記憶部１７２に記憶されている「Ａ工務店」の名称を参照して、Ａ工務店に関する情報を特定する。即ち、関連業者データ記憶部１７２において「Ａ工務店」が特定されると、Ａ工務店の連絡先を特定することができる。
【００２９】
検査結果データ入力部１５４は、検査対象表示部１５２によって表示された検査結果入力フォーマットにおいて、間取り図のタップによる指摘箇所の位置のデータと、音声認識の結果による指摘内容のテキストデータとを対応付けて、検査結果入力フォーマットに入力する。このとき、検査結果データ入力部１５４は、指摘箇所に通し番号を付与し、間取り図の周囲（例えば間取り図の左右）に形成されている指摘箇所の番号の表示領域（番号表示領域）において、タップされた間取り図の位置に最も近い領域に指摘箇所の番号を表示する。なお、タップされた間取り図の位置に最も近い領域に、他の指摘箇所の番号が既に表示されている場合、検査結果データ入力部１５４は、その隣接位置にその指摘箇所の番号を表示する。さらに、番号表示領域が既に入力された指摘箇所の番号で占有されている場合、検査結果データ入力部１５４は、検査結果入力フォーマットのページングを行い、次ページ以降の番号表示領域に指摘箇所の番号を表示する。
そして、検査結果データ入力部１５４は、検査結果が入力された検査結果入力フォーマット（検査結果データ）を検査結果データ記憶部１７４に記憶する。
【００３０】
画像取得部１５５は、音声あるいはボタンの操作等による検査員の指示に応じて、指摘箇所の撮像画像データを取得する。画像取得部１５５によって取得された撮像画像データは、検査結果入力フォーマットに入力された指摘箇所と対応付けて、検査結果データ記憶部１７４に記憶される。
検査結果データ送信部１５６は、検査結果データ記憶部１７４に記憶された検査結果データと、検査結果データの検査結果入力フォーマットの指摘箇所と対応付けられた撮像画像データとをサーバ２０に送信する。
【００３１】
また、情報処理システム１は、サーバ２０のＣＰＵ２１１Ａにおいて、検査対象データ提供部２５１と、音声認識部２５２と、検査対象データ受信部２５３と、検査結果データ受信部２５４と、検査結果データ翻訳部２５５と、帳票データ作成部２５６と、帳票データ提供部２５７と、画像解析部２５８とが機能する。
また、サーバ２０の記憶部２１７Ａには、検査対象データベース２７１と、関連業者データベース２７２と、検査結果データベース２７３と、翻訳辞書データベース２７４と、ディクテーション用辞書データベース２７５とが形成される。
【００３２】
検査対象データベース２７１には、情報処理システム１において検査対象となる種々の建造物に関するデータ（検査対象データ）が記憶されている。
関連業者データベース２７２には、情報処理システム１において検査対象となる種々の建造物に関連する業者を示すデータが記憶されている。
【００３３】
検査結果データベース２７３には、携帯端末１０から送信された各種建造物の検査結果データが記憶されている。
翻訳辞書データベース２７４には、検査結果データの言語を他の言語に翻訳するための各種辞書データが記憶されている。例えば、検査員が日本語で入力した検査結果データが、日本語と中国語とを相互に翻訳するための辞書データを参照して、中国語で表記された検査結果データに翻訳される。
ディクテーション用辞書データベース２７５には、検査員が発話した内容をテキスト化するための音声認識用データが格納された辞書データが記憶されている。例えば、ディクテーション用辞書データベース２７５には、検査員が指摘事項として発話する可能性のある音声、検査員が画像に対する注釈として発話する可能性のある音声、その他、一般的な内容（自由文）として発話される可能性のある音声について、音声認識用データが格納されている。また、ディクテーション用辞書データベース２７５には、携帯端末１０に提供される各種作業別辞書データが記憶されている。
【００３４】
検査対象データ提供部２５１は、携帯端末１０から検査対象となる建造物に関するデータを要求された場合に、その建造物に関する検査対象データを検査対象データベース２７１から読み出して、携帯端末１０に送信する。本実施形態において、携帯端末１０に検査対象データを提供した場合、検査対象データ提供部２５１は、その検査対象データを他の携帯端末１０に提供しないよう検査対象データにロックをかける。これにより、同一の検査対象について、重複して検査が行われることを防ぐことができる。なお、検査対象データにかけられたロックは、検査結果データ受信部２５４が検査結果データを受信することにより解除される。
音声認識部２５２は、携帯端末１０がサーバ２０によって音声認識を行うため（即ち、オンライン用）の音声認識機能であり、携帯端末１０から送信された音声データに基づいて、音声認識を行う。そして、音声認識部２５２は、音声認識の結果であるテキストデータを携帯端末１０に送信する。
検査対象データ受信部２５３は、ＰＣ３０から送信された検査対象となる建造物の検査対象データを受信し、検査対象データベース２７１に記憶する。
【００３５】
検査結果データ受信部２５４は、携帯端末１０から送信された検査結果データを受信し、検査結果データベース２７３に記憶する。また、検査結果データ受信部２５４は、検査結果データを受信することに対応して、検査対象データ提供部２５１によって検査対象データにかけられたロックを解除する。
検査結果データ翻訳部２５５は、ＰＣ３０から検査結果データの翻訳が要求された場合に、翻訳辞書データベース２７４を参照し、翻訳対象の検査結果データを、要求された言語に翻訳する。
【００３６】
帳票データ作成部２５６は、ＰＣ３０から検査結果を所定形式の帳票データとして取得する要求が行われた場合に、検査結果データベース２７３から対象となる検査結果データを読み出し、所定のフォーマット変換を行うことにより、帳票データを作成する。このとき、帳票データ作成部２５６は、ＰＣ３０からの指示に応じて、検査結果データを業者毎あるいは検査対象となった建造物毎等の分類条件によって分類し、分類後の検査結果データを基に帳票データを作成する。また、帳票データ作成部２５６は、ＰＣ３０から検査結果データの修正内容を受信した場合、その修正内容を検査結果データに反映させ、検査結果データベース２７３に記憶された検査結果データを更新する。また、帳票データ作成部２５６は、検査結果データ翻訳部２５５によって検査結果データが所定の言語に翻訳された場合、翻訳後の言語で表された帳票データを作成する。
さらに、帳票データ作成部２５６は、検査結果入力フォーマットのページングが行われている検査結果データの帳票データを作成する場合、帳票データを検査結果入力フォーマットに対応してページングし、番号表示領域における指摘箇所の番号及びその番号に対応する指摘内容を複数のページにわたって表示する帳票データを作成する。
なお、本実施形態において、検査結果データについて、分類条件が設定され、指摘箇所の一部（特定の業者に関連する指摘箇所のみ等）を表す帳票データを作成する場合、帳票データ作成部２５６は、検査結果データ入力部１５４によって付与された指摘箇所の通し番号を維持すると共に、帳票データにおいて表示される指摘箇所を対象として、番号表示領域における表示位置を再設定する。
即ち、検査結果データが分類条件によって分類された場合であっても、検査結果データにおける指摘箇所の通し番号が変化しないため、検査員、管理者あるいは関連業者等の関係者が指摘箇所を把握する際に、指摘箇所間の混同が生じる事態を防ぐことができる。また、帳票データにおいて表示される指摘箇所を対象として、番号表示領域における表示位置が再設定されるため、指摘事項をより視認しやすい形態で帳票データを作成することができる。
【００３７】
帳票データ提供部２５７は、帳票データ作成部２５６によって作成された帳票データをＰＣ３０に送信する。
画像解析部２５８は、検査員によって撮影された指摘箇所の撮像画像データを対象として画像解析を行い、指摘箇所にキズ等の瑕疵があるか否かを判定する。なお、画像解析部２５８は、例えば、撮像画像データに対して、ガンマ補正やエッジ抽出等の画像処理を行い、キズの輪郭を強調することで、指摘箇所にキズがあるか否かを判定したり、フィルタ処理によってテクスチャが変化している部分を検出することで、クロス浮きがあるか否かを判定したりすることができる。
【００３８】
また、情報処理システム１は、ＰＣ３０のＣＰＵ２１１Ｂにおいて、管理画面表示部３５１と、検査結果データ修正部３５２と、検査対象データ入力部３５３と、帳票データ取得部３５４とが機能する。
【００３９】
管理画面表示部３５１は、サーバ２０に蓄積された検査結果データの確認及び整理を行うための管理画面を表示する。管理画面を介して、管理者が検査結果データを確認し、必要に応じて検査結果データを修正した上、検査結果データの提供先に応じた分類等の処理を行うことにより、サーバ２０によって帳票データが作成される。
検査結果データ修正部３５２は、検査結果データに入力されている指摘事項について、検査結果の管理を行う権限を有する管理者による修正を受け付ける。例えば、検査員によってクロスの「キズ」の存在が指摘され、「補修」による対応が指摘されていた箇所を、管理者が「補修」ではなく「張り替え」による対応に修正したりする。そして、検査結果データ修正部３５２は、入力された検査結果データの修正内容をサーバ２０に送信する。
【００４０】
検査対象データ入力部３５３は、検査対象となる建造物の検査対象データの入力を受け付ける。例えば、検査対象データ入力部３５３は、検査対象となる建造物の間取り図のデータ（ＣＡＤデータあるいは画像データ）や、建造物の住所や名称、検査の種類等の文字データの入力を受け付ける。また、検査対象データ入力部３５３は、検査対象となる建造物に関連する業者（関連業者）を示すデータの入力を受け付ける。そして、検査対象データ入力部３５３は、入力された間取り図のデータ及び文字データによって構成される検査対象データ（検査結果入力フォーマット）及び関連業者を示すデータをサーバ２０に送信する。
帳票データ取得部３５４は、検査対象となった建造物の検査結果データを、サーバ２０から所定形式の帳票データとして取得する。例えば、帳票データ取得部３５４は、検査結果データを業者毎あるいは検査対象となった建造物毎等の分類条件によって分類することをサーバに要求し、検査結果データが分類された帳票データをサーバ２０から取得する。
【００４１】
以上のような機能構成により、情報処理システム１を利用することで、検査対象となる建造物の検査結果を容易にデータとして入力することができると共に、検査結果データを目的に応じた適切な形態の帳票データとして容易に出力することができる。
図５は、情報処理システム１が利用される場合の手順を示す模式図である。
情報処理システム１を利用して建造物の検査が行われる場合、図５（Ａ）に示すように、携帯端末１０において、情報処理システム１を利用するためのログイン処理が行われる。
そして、ログインが完了すると、図５（Ｂ）に示すように、携帯端末１０に記憶されている検査対象の選択（即ち、検査対象データの選択）を行うための選択画面が表示される。
【００４２】
図５（Ｂ）に示す選択画面において、いずれかの検査対象が選択され、検査の開始が指示された場合、図５（Ｃ）に示すように、検査対象となる建造物の検査結果入力フォーマットが表示される。図５（Ｃ）に示す例では、検査対象となる建造物の間取り図が表示されている。
そして、検査員が、検査対象となる建造物において指摘箇所として入力すべき部分を発見した場合、間取り図において指摘箇所に対応する位置をタップし、指摘内容を入力する。このとき、図５（Ｄ）に示すように、指摘箇所についての指摘内容を検査員が音声で入力することにより、指摘内容がテキストデータとされ、検査結果データとして記憶される。図５（Ｄ）に示す例では、検査対象「ＸＸＸマンション  ○○○号室」について、検査員が、「指摘番号“１”、室名“リビングダイニング”、部位“床”、指摘内容“フローリング  キズ”・・・」と音声で入力した結果が示されている。また、図５（Ｄ）に示すように、指摘箇所の画像を撮影するためのボタンアイコン（写真撮影ボタン）が表示され、検査員は、指摘箇所の内容の入力と共に、指摘箇所の画像を撮影することができる。なお、指摘箇所の画像の撮影は、音声による指示によって行うことも可能である。
【００４３】
図５（Ｃ）及び図５（Ｄ）に示すように、間取り図における指摘箇所の位置と、その指摘箇所の指摘内容が入力されると、図５（Ｅ）に示すように、間取り図の周囲に形成された番号表示領域に、指摘箇所を示す通し番号が表示される。また、図５（Ｆ）に示すように、図５（Ｅ）に示す各指摘箇所の指摘内容を示す一覧のデータが生成される。なお、図５（Ｆ）においては、入力された検査結果データを一部省略して示している。本実施形態において、検査結果入力フォーマットは、図５（Ｅ）に示す間取り図と、図５（Ｆ）に示す指摘内容の一覧とを別の画面で切り換えて表示する形式となっている。
即ち、検査対象となる建造物の指摘箇所が入力され、検査が完了すると、間取り図の周囲に形成された番号表示領域に、引き出し線によって各指摘箇所を示す通し番号が表示されると共に、通し番号と対応付けられた指摘内容の一覧が検査結果データとして記憶される。
【００４４】
この検査結果データは、サーバ２０に送信されて、検査結果データベース２７３に記憶される。そして、ＰＣ３０からの要求に応じて、指定された分類条件の下、図５（Ｇ）に示すように、帳票データが作成される。図５（Ｇ）に示す帳票データの例では、帳票の左側に間取り図及び番号表示領域からなる図面の表示領域が形成され、帳票の右側に指摘箇所の番号、場所の名称（部屋のタイプ等）、部位（壁や床等）、指摘内容（フローリングのキズ等）、検査日、検査員、写真の有無等のテキストデータを表示する文字の表示領域が形成されている。なお、図５（Ｇ）においては、入力された検査結果データを一部省略して示している。
【００４５】
［動作］
次に、情報処理システム１の動作を説明する。
［検査支援処理］
初めに、情報処理システム１の携帯端末１０が実行する検査支援処理について説明する。
図６は、情報処理システム１の携帯端末１０が実行する検査支援処理の流れを示すフローチャートである。
検査支援処理は、携帯端末１０を用いて、検査対象となる建造物の各種検査を行う場合に、音声認識による検査結果の入力を受け付け、検査結果データを生成してサーバ２０に送信する処理である。
なお、検査支援処理は、携帯端末１０において、検査支援処理の実行を指示する操作が行われることに対応して開始される。
【００４６】
検査支援処理が開始されると、ステップＳ１において、検査対象データ取得部１５１は、サーバ２０に対して、検査対象となる建造物に関するデータを要求し、サーバ２０から送信される検査対象データ（検査結果入力フォーマット）を取得する。
ステップＳ２において、検査対象表示部１５２は、検査結果入力フォーマットを表示し、検査結果の入力が可能な状態とする。
【００４７】
ステップＳ３において、検査結果データ入力部１５４は、検査対象表示部１５２によって表示された検査結果入力フォーマットにおいて、間取り図のタップによる指摘箇所の位置のデータと、音声認識の結果による指摘内容のテキストデータとを対応付けると共に、指摘箇所の通し番号を付与し、検査結果入力フォーマットに入力する。このとき、指摘箇所に関連する画像が撮影された場合、その撮像画像データが指摘箇所と対応付けられる。
【００４８】
ステップＳ４において、検査結果データ送信部１５６は、検査結果データと、検査結果データの指摘箇所と対応付けられた撮像画像データとをサーバ２０に送信する。
ステップＳ４の後、検査支援処理は終了する。
【００４９】
［帳票データ作成処理］
次に、情報処理システム１のサーバ２０が実行する帳票データ作成処理について説明する。
図７は、情報処理システム１のサーバ２０が実行する帳票データ作成処理の流れを示すフローチャートである。
帳票データ作成処理は、検査対象データを所定の分類条件によって分類し、分類後の検査結果データを基に帳票データを作成する処理である。
なお、帳票データ作成処理は、サーバ２０において、ＰＣ３０から検査結果を所定形式の帳票データとして取得する要求が行われた場合に開始される。
【００５０】
ステップＳ１１において、ＰＣ３０からの要求に応じて、検査結果データベース２７３から対象となる検査結果データを読み出し、ＰＣ３０に送信する。
ステップＳ１２において、帳票データ作成部２５６は、ＰＣ３０から検査結果データの修正内容を受信したか否かの判定を行う。
ＰＣ３０から検査結果データの修正内容を受信した場合、ステップＳ１２においてＹＥＳと判定されて、処理はステップＳ１３に移行する。
一方、ＰＣ３０から検査結果データの修正内容を受信していない場合、ステップＳ１２においてＮＯと判定されて、処理はステップＳ１４に移行する。
【００５１】
ステップＳ１３において、帳票データ作成部２５６は、ＰＣ３０から受信した修正内容を検査結果データに反映させ、検査結果データベース２７３に記憶された検査結果データを更新する。
ステップＳ１４において、帳票データ作成部２５６は、ＰＣ３０から検査結果データの分類条件を受信する。
【００５２】
ステップＳ１５において、帳票データ作成部２５６は、ＰＣ３０から受信した検査結果の分類条件によって検査結果データを分類し、分類後の検査結果データを基に帳票データを作成する。
ステップＳ１６において、帳票データ提供部２５７は、作成された帳票データをＰＣ３０に送信する。ＰＣ３０に送信された帳票データは、ＰＣ３０から所定の宛先（関連業者等）に送信され、補修あるいは張り替え等の対応作業が行われる。
ステップＳ１６の後、帳票データ作成処理は終了する。
【００５３】
［検査結果データ翻訳処理］
次に、情報処理システム１のサーバ２０が実行する検査結果データ翻訳処理について説明する。
図８は、情報処理システム１のサーバ２０が実行する検査結果データ翻訳処理の流れを示すフローチャートである。
検査結果データ翻訳処理は、ＰＣ３０からの要求に応じて、翻訳対象の検査結果データを要求された言語に翻訳する処理である。
なお、検査結果データ翻訳処理は、サーバ２０において、ＰＣ３０から検査結果データの翻訳が要求された場合に開始される。
【００５４】
ステップＳ２１において、検査結果データ翻訳部２５５は、翻訳対象となる検査結果データ及び翻訳する言語の指定をＰＣ３０から受信する。
ステップＳ２２において、検査結果データ翻訳部２５５は、翻訳辞書データベース２７４の辞書データを参照し、翻訳対象の検査結果データを指定された言語に翻訳する。
【００５５】
ステップＳ２３において、帳票データ作成部２５６は、検査結果データ翻訳部２５５によって翻訳された検査結果データを基に、翻訳後の言語で表された帳票データ（あるいは他の形式のデータ等）を作成する。
ステップＳ２３の後、検査結果データ翻訳処理は終了する。
【００５６】
このような処理により、情報処理システム１によれば、検査対象となる建造物の検査結果を容易にデータとして入力することができると共に、検査結果データを目的に応じた適切な形態の帳票データとして容易に出力することができる。
したがって、建造物の検査をより効率的に行うことが可能となる。
また、検査結果データを他の言語に翻訳できるため、検査員と検査結果の利用者とが異なる言語の使用者であることが許容され、情報処理システム１を利用して建造物の検査を行う機会を増加させることができる。
【００５７】
［変形例１］
上述の実施形態において、音声認識によって検査結果データの入力が行われる際に、音声あるいは入力されたＩＤにより検査結果データを入力した検査員を識別し、検査結果データと対応付けてサーバ２０に記憶することができる。
そして、サーバ２０において、検査員の検査結果データを統計処理することにより、指摘箇所の漏れや指摘の誤り等の傾向を検査員毎に解析し、解析した傾向をその検査員に通知することができる。
この場合、サーバ２０のＣＰＵ２１１Ａにおいて、検査結果データを統計・解析処理する検査結果データ統計解析部が形成される。
また、検査結果データ統計解析部によって、検査結果データを統計処理することにより、指摘箇所が発生する頻度や内容等の傾向を関連業者毎に解析し、解析した傾向をその関連業者に通知することができる。あるいは、検査結果データ統計解析部によって、検査結果データを統計処理することにより、指摘箇所が発生する頻度が高い建造物の部位やその内容等の傾向を解析し、解析した傾向を関連業者や検査員に通知することができる。
さらに、サーバ２０において、検査員の傾向や関連業者の傾向を基に、注意すべき検査内容を検査対象データに付加し、検査員が建造物の検査を行う場合に、注意すべき検査内容を検査員に通知することとしてもよい。
これにより、検査員や関連業者の特性に対応して、より適切な検査や施工等が行われるよう支援することができる。
【００５８】
［変形例２］
上述の実施形態において、検査員が検査を行う際に、携帯端末１０におけるセンサ部１１９の各種センサの検出結果を取得し、入力された検査結果データ（各指摘箇所）と対応付けて、各種センサの検出結果を記憶することができる。
例えば、検査結果データが入力された際の携帯端末１０の位置データ（ＧＰＳ受信機の検出結果）、方位データ（地磁気センサの検出結果）及び仰俯角データ（ジャイロセンサ及び加速度センサの検出結果）を検査結果データと対応付けて記憶することができる。
そして、検査員あるいは関連業者が指摘箇所の補修結果の確認や補修作業等を行うために現場を訪れた際に、携帯端末１０によって、指摘箇所に対応付けられている各種センサの検出結果を参照し、携帯端末１０の位置、向いている方位及び仰俯角を指摘箇所が指摘されたときと同様となるよう案内することができる。例えば、撮像部１１８においてライブビュー画像を表示させながら、指摘箇所の方向を矢印で示したり、指摘箇所の部分の画像にマーカーを表示したり、あるいは、音声を出力したり、文字データを表示したりすることにより、指摘箇所を案内することが可能である。
この場合、携帯端末１０のＣＰＵ１１１において、検査結果データに基づいて指摘箇所を案内する指摘箇所案内部が形成される。
これにより、検査員あるいは関連業者が指摘箇所をより容易に特定できるよう支援することができる。
【００５９】
［変形例３］
本実施形態における建造物の検査に関する作業の一部を、ロボットを利用して行うことができる。
例えば、画像を撮影する機能及び移動する機能を備えたロボットを携帯端末１０として利用して、検査対象となる建造物の各部を撮影し、キズやクロス浮き等の指摘事項の有無を画像の解析結果から判定することができる。この場合、キズやクロス浮き等の指摘事項が発見された際のロボットの位置、撮像部が向いている方位及び仰俯角を変形例２のように取得し、検査結果データと対応付けて記憶することができる。また、このように各種センサの検出結果を検査結果データと対応付けることにより、変形例２のように携帯端末１０としてのロボットを指摘箇所に案内（誘導）し、補修結果を確認すること等ができる。
これにより、高所や化学物質等に汚染された場所等の検査及び補修確認等を無人で行うことが可能となる。
【００６０】
以上のように構成される情報処理システム１は、建造物の検査に用いられる携帯端末１０と、携帯端末１０と通信可能に構成されたサーバ２０とを含む。また、情報処理システム１は、携帯端末１０に、検査結果データ入力部１５４と、検査結果データ送信部１５６とを備え、サーバ２０に、帳票データ作成部２５６を備える。
検査結果データ入力部１５４は、検査員が発話した音声の音声認識を行うことにより、指摘箇所を含む建造物の検査結果を入力するためのフォーマットに検査結果データを入力する。
検査結果データ送信部１５６は、検査結果データをサーバ２０に送信する。
帳票データ作成部２５６は、検査結果データに基づいて、検査結果への対応作業のための所定のフォーマットを有する帳票データを作成する。
これにより、情報処理システム１においては、検査対象となる建造物の検査結果を容易にデータとして入力することができると共に、検査結果データを目的に応じた適切な形態の帳票データとして容易に出力することができる。
したがって、建造物の検査をより効率的に行うことが可能となる。
【００６１】
検査結果データ入力部１５４は、建造物の検査の種類に対応する作業別辞書に基づいて、音声認識を行う。
これにより、その建造物の検査において使用される用語をより適切にテキストデータに変換することができる。
【００６２】
帳票データ作成部２５６は、予め指定されたデータの分類条件に応じて検査結果データを分類して、帳票データを作成する。
これにより、検査結果データを目的に応じた適切な形態の帳票データとして容易に出力することができる。
【００６３】
帳票データ作成部２５６は、指摘箇所が設定された間取り図と、間取り図の周囲の少なくとも一部に指摘箇所を示す番号を表示する番号表示領域と、指摘箇所の内容を表示する指摘内容表示領域と、を有するフォーマットの前記帳票データを作成する。
これにより、検査対象となる建造物の検査結果をわかりやすい形態で提示することができる。
【００６４】
帳票データ作成部２５６は、予め指定されたデータの分類条件に応じて検査結果データを分類して、検査結果データにおける指摘箇所の一部を含む帳票データを作成する場合に、指摘箇所を示す番号を維持して、当該帳票データに表示する。
これにより、検査結果データが分類条件によって分類された場合であっても、検査結果データにおける指摘箇所の番号が変化しないため、関係者が指摘箇所を把握する際に、指摘箇所間の混同が生じる事態を防ぐことができる。
【００６５】
サーバ２０は、検査結果データベース２７３と、検査結果データ統計解析部（ＣＰＵ２１１Ａ）とを備える。
検査結果データベース２７３は、携帯端末１０から送信された検査結果データを蓄積して記憶する。
検査結果データ統計解析部は、検査結果データベース２７３に記憶された検査結果データを統計処理することにより、検査結果データの指摘内容に関する傾向を解析する。
これにより、検査員や関連業者の特性に対応して、より適切な検査や施工等が行われるよう支援することができる。
【００６６】
サーバ２０は、検査結果データ翻訳部２５５を備える。
検査結果データ翻訳部２５５は、検査結果データに用いられた言語とは異なる言語で表された帳票データを作成するための翻訳機能を実現する。
これにより、検査員と検査結果の利用者とが異なる言語の使用者であることが許容され、情報処理システム１を利用して建造物の検査を行う機会を増加させることができる。
【００６７】
携帯端末１０は、センサ部１１９と、指摘箇所案内部（ＣＰＵ１１１）とを備える。
センサ部１１９は、携帯端末１０の位置及び向きを検出する。
指摘箇所案内部は、過去に指摘された指摘箇所の案内を行う。
検査結果データ入力部１５４は、検査結果における指摘箇所が入力された際のセンサの検出結果を検査結果データと対応付ける。
検査結果データ送信部１５６は、センサ部１１９の検出結果及び検査結果データをサーバ２０に送信する。
指摘箇所案内部は、サーバ２０から取得した検査結果データに対応付けられているセンサ部１１９の検出結果に基づいて、携帯端末１０の位置及び向きに関する情報を提供することにより、検査結果データにおける指摘箇所の案内を行う。
これにより、検査員あるいは関連業者が指摘箇所をより容易に特定できるよう支援することができる。
【００６８】
なお、本発明は、上述の実施形態に限定されるものではなく、本発明の目的を達成できる範囲での変形、改良等は本発明に含まれるものである。
例えば、上述の実施形態においては、情報処理システム１がマンション等の建造物の検査に用いられるものとして説明したが、これに限られない。
即ち、本発明は、船舶や橋等、建造後に検査が行われる対象一般に用いることが可能である。
また、上述の実施形態においては、検査結果データ翻訳部２５５が、要求された言語に検査結果データを翻訳し、帳票データ作成部２５６が、翻訳された検査結果データを基に、翻訳後の言語で表された帳票データを作成するものとして説明したが、これに限られない。
即ち、サーバ２０において、要求された言語で表された帳票データを出力することができれば、帳票データ作成部２５６によって翻訳前の言語で作成された帳票データを翻訳することとしてもよい。
【００６９】
また、上述の実施形態において、各サーバの構成は一例として示したものであり、情報処理システム１全体として、上記各サーバの機能が備えられていれば、複数のサーバの機能を統合したり、１つのサーバの機能を分割したりすることができる。
【００７０】
上述した一連の処理は、ハードウェアにより実行させることもできるし、ソフトウェアにより実行させることもできる。
換言すると、図４の機能的構成は例示に過ぎず、特に限定されない。即ち、上述した一連の処理を全体として実行できる機能が情報処理システム１に備えられていれば足り、この機能を実現するためにどのような機能ブロックを用いるのかは特に図４の例に限定されない。
【００７１】
また、情報処理システム１に備えられる機能は、システムの構築目的に応じて種々変更することが可能である。例えば、図４の機能的構成のうち、画像取得部１５５、音声認識部２５２、検査対象データ受信部２５３、検査結果データ翻訳部２５５、画像解析部２５８、翻訳辞書データベース２７４及びディクテーション用辞書データベース２７５の機能は、情報処理システム１に必ずしも備える必要はなく、情報処理システム１の構築目的に応じて、適宜選択して備えることが可能である。
また、１つの機能ブロックは、ハードウェア単体で構成してもよいし、ソフトウェア単体で構成してもよいし、それらの組み合わせで構成してもよい。
【００７２】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００７３】
このようなプログラムを含む記録媒体は、ユーザにプログラムを提供するために装置本体とは別に配布される図２のリムーバブルメディア２３１により構成されるだけでなく、装置本体に予め組み込まれた状態でユーザに提供される記録媒体等で構成される。リムーバブルメディア２３１は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ２１２や、図２の記憶部２１７に含まれるＤＲＡＭ等で構成される。
【００７４】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
また、本明細書において、システムの用語は、複数の装置や複数の手段等より構成される全体的な装置を意味するものとする。
【符号の説明】
【００７５】
１・・・情報処理システム，１０・・・携帯端末，２０・・・サーバ，３０・・・ＰＣ，４０・・・ネットワーク，２００・・・コンピュータ，１１１、２１１・・・ＣＰＵ，１１２、２１２・・・ＲＯＭ，１１３、２１３・・・ＲＡＭ，１１４、２１４・・・バス，１１５・・・タッチ操作入力部，２１５・・・入力部，１１６、２１６・・・出力部，１１７・・・音声入力部，１１８・・・撮像部，１１９・・・センサ部，１２０、２１７・・・記憶部、１２１、２１８・・・通信部、１２２、２１９・・・ドライブ，１３１、２３１・・・リムーバブルメディア，１５１・・・検査対象データ取得部，１５２・・・検査対象表示部，１５３・・・音声認識部，１５４・・・検査結果データ入力部，１５５・・・画像取得部，１５６・・・検査結果データ送信部，１７１・・・検査対象データ記憶部、１７２・・・関連業者データ記憶部，１７３・・・作業別辞書データ記憶部，１７４・・・、検査結果データ記憶部，２５１・・・検査対象データ提供部，２５２・・・音声認識部，２５３・・・検査対象データ受信部，２５４・・・検査結果データ受信部，２５５・・・検査結果データ翻訳部，２５６・・・帳票データ作成部，２５７・・・帳票データ提供部，２５８・・・画像解析部，２７１・・・検査対象データベース，２７２・・・関連業者データベース，２７３・・・検査結果データベース，２７４・・・翻訳辞書データベース，２７５・・・ディクテーション用辞書データベース，３５１・・・管理画面表示部，３５２・・・検査結果データ修正部，３５３・・・検査対象データ入力部，３５４・・・帳票データ取得部
【図１】
0006655944.tif 000002
【図２】
0006655944.tif 000003
【図３】
0006655944.tif 000004
【図４】
0006655944.tif 000005
【図５】
0006655944.tif 000006
【図６】
0006655944.tif 000007
【図７】
0006655944.tif 000008
【図８】
0006655944.tif 000009